(57)【特許請求の範囲】
【請求項１】
集塵室及び電動送風機が収容された電動機室を有する掃除機本体と、該掃除機本体の下部に設けられ、前記電動送風機からの排気により前記掃除機本体を床面から浮上させる浮上装置とを備え、
該浮上装置を、上部に前記電動機室と連通する連通口を有し、下部に複数の浮上排気吹出口、前記排気を溜める排気均圧室及び複数の浮上排気口が設けられた浮上体と、該浮上体の周囲に取付けられ一端が内側に折り曲げられて床面に接触しその外表面が耐摩耗性又は耐滑性を有する軟質材からなるスカート部材とによって構成し、前記浮上排気吹出口を前記スカート部材の折り曲げ部に向って開口したことを特徴とする電気掃除機。
【請求項２】
集塵室及び電動送風機が収容された電動機室を有する掃除機本体と、該掃除機本体の下部に設けられ、前記電動送風機からの排気により前記掃除機本体を床面から浮上させる浮上装置とを備え、
該浮上装置を、上部に前記電動機室と連通する連通口を有し、下部に複数の浮上排気吹出口、前記排気を溜める排気均圧室及び複数の浮上排気口が設けられた浮上体と、該浮上体の周囲に着脱自在に取付けられ一端が内側に折り曲げられて床面に接触する軟質材からなるスカート部材とによって構成し、前記浮上排気吹出口を前記スカート部材の折り曲げ部に向って開口したことを特徴とする電気掃除機。
【請求項３】
集塵室及び電動送風機が収容された電動機室を有する掃除機本体と、該掃除機本体の下部に設けられ、前記電動送風機からの排気により前記掃除機本体を床面から浮上させる浮上装置とを備え、
前記電動機室の底板に電動機室排気穴を設けると共に、前記掃除機本体の床面板に前記電動機室排気口に連通する底面板排気穴を設け、
前記浮上装置を、上板に前記底面板排気穴に連通する連通口を有し、前記上板の下部に複数の浮上排気吹出口、前記排気を溜める排気均圧室及び前記上板に開口する複数の浮上排気口が設けられた浮上体と、該浮上体の周囲に取付けられ一端が内側に折り曲げられて床面に接触しその外表面が耐摩耗性又は耐滑性を有する軟質材からなるスカート部材とによって構成し、前記浮上排気吹出口を前記スカート部材の折り曲げ部に向って開口したことを特徴とする電気掃除機。
【請求項４】
前記電動機室排気穴に開閉弁を設けたことを特徴とする請求項３記載の電気掃除機。
【請求項５】
前記スカート部材の内縁部の内側に設けた浮上排風口の開口面積を、該スカート部材の折り曲げ部の面積とほぼ等しいか又はこれにより大きく形成したことを特徴とする請求項１〜４のいずれかに記載の電気掃除機。
【請求項６】
前記スカート部材の下端部を、少なくとも二重構造としたことを特徴とする請求項１〜５のいずれかに記載の電気掃除機。
【請求項７】
前記スカート部材の内縁部の内側に多数の浮上排風口を設けたことを特徴とする請求項１〜６のいずれかに記載の電気掃除機。
【請求項８】
前記浮上装置内に排気の圧力を検出する排気圧センサを設け、該排気圧センサの検出結果に基いて前記浮上装置に流入する排気の量を制御するようにしたことを特徴とする請求項１〜７のいずれかに記載の電気掃除機。
【請求項９】
前記浮上装置からの排気を、電動送風機のモータを冷却した排気と合流させたことを特徴とする請求項１〜８のいずれかに記載の電気掃除機。
【請求項１０】
前記浮上装置を、掃除機本体に対して着脱自在に構成したことを特徴とする請求項１〜９のいずれかに記載の電気掃除機。
【請求項１１】
前記浮上装置の浮上体を、掃除機本体と一体に構成したことを特徴とする請求項１〜１０のいずかに記載の電気掃除機。
【請求項１２】
前記浮上装置の底板の浮上排気吹出口と干渉しない位置に、前記スカート部材の折曲げ部との間にすき間を形成するリブを設けたことを特徴とする請求項１〜１１のいずれかに記載の電気掃除機。
【発明の詳細な説明】
【０００１】
【発明の属する技術分野】
本発明は、電気掃除機に係り、より詳しくは、掃除機本体を床面から浮上させることにより、掃除機本体を容易に移動しうるようにした電気掃除機に関するものである。
【０００２】
【従来の技術】
図２７は特開平６−１３３９００号公報（従来技術１）に記載された従来の電気掃除機の掃除機本体を示す縦断面図である。
図において、１２０は掃除機本体であり、内部には集塵袋１２２が着脱自在に収容される集塵室１２１と、電動送風機１２４が収容された電動機室１２３とが設けられている。１２５は集塵室１２１の前側に着脱自在に装着されたホースで、その先端部には床用吸込具（図示せず）が着脱自在に装着される。
【０００３】
１２６は電動機室１２３の底部１２３ａから掃除機本体１２０の底部１２０ａに連通して開口する第１の排気口、１２７は第１の排気口１２６の周囲において掃除機本体１２０の底部１２０ａに設けられた第１のスカート、１２８は第１のスカート１２７の外周に設けられた第２のスカートである。１２９は第１のスカート１２７と第２のスカート１２８の間において、底部１２０ａに設けられた第２の排気口、１３０は掃除機本体１２０の後壁に設けた排気の排出口である。なお、Ｘは床面である。
【０００４】
上記のように構成した従来の電気掃除機においては、電動送風機１２４からの排気は、第１の排気口１２６から排出されて床面Ｘに衝突し、掃除機本体１２０を床面Ｘから浮上させる。そして、排気は第１のスカート１２７と第２のスカート１２８の間に流入し、第２の排気口１２９を通過して排出口１３０から掃除機本体１２０外へ排出される。
このように、電動送風機１２４を運転することにより、その排気圧によって掃除機本体１２０が床面Ｘから浮上するので、床面Ｘと掃除機本体１２０との摩擦抵抗が減少するため、掃除機本体１２０を少ない労力で容易に移動させることができる。
【０００５】
また、特開平４−３４１２２９号公報（従来技術２）には、電動送風機及び集塵室を有する掃除機本体の下部に、外周に凸部が設けられた受圧室を形成し、この受圧室に底面外周の全周にわたって形成された排気口から、電動送風機の排気を供給して受圧室内の圧力を高め、掃除機本体を浮上させるようにした浮上式電気掃除機が記載されている。
【０００６】
さらに、特開平８−２９９２３０号公報（従来技術３）には、吸込圧を発生する電動送風機と、掃除機本体の下部に設けた床ノズルと、床ノズルの下面に設けられた電動送風機の排気流を吹き出す吹出口と、この吹出口の外周に設けた床ノズルを浮上させる浮上板と、床ノズルを移動可能にするローラーと、ローラーを回転自在に支持するローラー支持部材を昇降可能とする保持部材と、ローラーを常時下方に付勢する弾性部材とを備え、ローラー支持部材は排気流の圧力を受ける受圧部を有し、この受圧部に排気流の圧力が加わるとローラーが上方に移動し、受圧部に排気流の圧力が加わらないと弾性部材によってローラーが下方に強制的に移動するようにしたアップライト型電気掃除機が記載されている。
【０００７】
【発明が解決しようとする課題】
従来技術１の電気掃除機は、例えば使用前に掃除機本体１００を移動する際に車輪によって走行させる場合、第１、第２のスカート１０７，１０８が床面Ｘを擦るため、第１，第２のスカート１０７，１０８が摩耗したり、床面Ｘに付着しているゴミを巻き上げてしまうという問題があった。
また、電動送風機１０４の排気を直接床面に吹き付けているため、床面の塵埃が舞い上るばかりでなく、掃除機本体１００の電動送風機１０４のモータやコードリール（図示せず）などの重い部品が内蔵された側が、集塵室１０１の集塵袋１０２などの軽い部品が内蔵された側に比べて沈むため、掃除機本体１００が傾斜した状態で浮上してアンバランスになるという問題がある。
【０００８】
また、従来技術２の浮上式電気掃除機は、電動送風機の排気を直接床面に吹き付けているので床面に動圧がかかり、そのため受圧室内の排気圧がアンバランスになって掃除機本体を水平に浮上させることが困難である。このような問題を解決するためには内蔵する部品の重い方の側の排気圧を強く、軽い方の側の排気圧を弱くするなどの措置が必要であるが、きわめて複雑な構造となる。
また、コードリールからコードを引き出した際には、コードの長さによって掃除機本体の重心が変化するため、掃除機本体の浮上が常にアンバランスになる。
【０００９】
次に、従来技術３のアップライト型電気掃除機は、吹出し流路と吹出し口の断面積の関係が不明確であり、このため空気室内の排気圧が均圧化しにくい。また吹出し口は１か所に設けられているが、掃除機本体の重心の直下に設けられていない限り浮上がアンバランスになり、浮上がアンバランスになると床面と浮上板との間から空気室内に外気が侵入したり、内部の排気が逃げたりするため、空気室内の圧力が低下して掃除機本体の浮上が困難になる。
特に、アップライト型電気掃除機は、床面に対して掃除機本体を傾けて使用するため、重心が常に変化してアンバランスになるばかりでなく、床面と浮上板との間から外気が侵入したり排気が逃げたりしたりして、掃除機本体の浮上が困難である。
【００１０】
本発明は、上記の課題を解決するめ  になされたもので、掃除機本体をバランスよく床面から確実に浮上させることのできる電気掃除機を提供することを目的としたものである。
【００１１】
【課題を解決するための手段】
本発明に係る電気掃除機は、集塵室及び電動送風機が収容された電動機室を有する掃除機本体と、該掃除機本体の下部に設けられ、前記電動送風機からの排気により前記掃除機本体を床面から浮上させる浮上装置とを備え、該浮上装置を、上部に前記電動機室と連通する連通口を有し、下部に複数の浮上排気吹出口、前記排気を溜める排気均圧室及び複数の浮上排気口が設けられた浮上体と、該浮上体の周囲に取付けられ一端が内側に折り曲げられて床面に接触しその外表面が耐摩耗性又は耐滑性を有する軟質材からなるスカート部材とによって構成し、前記浮上排気吹出口を前記スカート部材の折り曲げ部に向って開口したものである。
【００１２】
また、本発明に係る電気掃除機は、集塵室及び電動送風機が収容された電動機室を有する掃除機本体と、該掃除機本体の下部に設けられ、前記電動送風機からの排気により前記掃除機本体を床面から浮上させる浮上装置とを備え、該浮上装置を、上部に前記電動機室と連通する連通口を有し、下部に複数の浮上排気吹出口、前記排気を溜める排気均圧室及び複数の浮上排気口が設けられた浮上体と、該浮上体の周囲に着脱自在に取付けられ一端が内側に折り曲げられて床面に接触する軟質材からなるスカート部材とによって構成し、前記浮上排気吹出口を前記スカート部材の折り曲げ部に向って開口したものである。
【００１３】
さらに、本発明に係る電気掃除機は、集塵室及び電動送風機が収容された電動機室を有する掃除機本体と、該掃除機本体の下部に設けられ、前記電動送風機からの排気により前記掃除機本体を床面から浮上させる浮上装置とを備え、前記電動機室の底板に電動機室排気穴を設けると共に、前記掃除機本体の底面板に前記電動機室排気口に連通する底面板排気穴を設け、前記浮上装置を、上板に前記底面板排気穴に連通する連通口を有し、前記上板の下部に複数の浮上排気吹出口、前記排気を溜める排気均圧室及び前記上板に開口する複数の浮上排気口が設けられた浮上体と、該浮上体の周囲に取付けられ一端が内側に折り曲げられて床面に接触しその外表面が耐摩耗性又は耐滑性を有する軟質材からなるスカート部材とによって構成し、前記浮上排気吹出口を前記スカート部材の折曲げ部に向って開口したものである。
【００１４】
上記の電動機室排気穴に開閉弁を設けた。
【００１５】
上記のスカート部材の内縁部の内側に設けた浮上排風口の開口面積を、スカート部材の折り曲げ部の面積とほぼ等しいか又はこれにより大きく形成した。
また、上記スカート部材の下端部を、少なくとも二重構造とした。
また、上記のスカート部材の内縁部の内側に多数の浮上排風口を設けた。
【００１６】
上記の浮上装置内に排気の圧力を検出する排気圧センサを設け、該排気圧センサの検出結果に基づいて前記浮上装置に流入する排気の量を制御するようにした。
また、上記の浮上装置からの排気を、電動送風機のモータを冷却した排気と合流させた。
【００１７】
上記のいずれかの浮上装置を、掃除機本体に対して着脱自在に構成し、あるいは、上記の浮上装置の均圧体を、掃除機本体と一体に構成した。
また、上記のいずれかの浮上装置の底板の浮上排気吹出口と干渉しない位置にスカート部材の折曲げ部との間にすき間を形成するリブを設けた。
【００１８】
【発明の実施の形態】
［実施の形態１］
図１は本発明の実施の形態１に係る電気掃除機の掃除機本体の縦断面図、図２は図１の背面図、図３は図１の底面図、図４は図１の浮上装置の分解斜視図である。
図において、１は掃除機本体で、ホースの接続口３を有する前面板２、後面板４、左右の側面板５ａ，５ｂ、底面板６、前後方向のほぼ中間部に設けられたファン吸気穴８を有する主隔壁７、及び主隔壁７の後部側に設けた上面板９により、主隔壁７の前部側上部が開口されたほぼ箱状に形成されている。
【００１９】
１１は前面板２と主隔壁７との間に  成された集塵室で、内部には、例えば着脱自在に装着される集塵袋、あるいはサイクロン集塵機等からなる集塵手段（以下、これらを一括して集塵体１２という）が収容されており、上部の開口部には開閉蓋１０が設けられている。
１４は主隔壁７とその後方に設けた隔壁１６との間に形成された電動機室で、電動送風機１５が収容されている。１８は隔壁１６とその後方に設けた隔壁１７との間に形成されたコードリール室で、コードリール１９が収容されている。なお、１３は電動機室１４とコードリール室１８の底板である。
【００２０】
２０は通気口２０ａを有し底面板６と底板１３との間に形成された下部排気通路、２１は断面ほぼコ字状で幅狭に形成され、上端部が上面板９との間にすき間を隔てて後面板４のほぼ中央部において底面板６に立設された仕切り部材で、後面板４との間には後部排気通路２２が形成されており、また隔壁１７との間には下部排気通路２０に連通する上部排気通路２３が形成されている。
【００２１】
２４は主隔壁７の近傍において底面板６に設けた底面板排気穴、２５ａは底面板６に設けられ、後部排気通路２２に開口する底面板排気口、２５ｂは前面板２の近傍において底面板６に設けられ、集塵前室１１ａに開口する底面板排気口（以下、両者を合わせて底面板排気口２５という）である。
２７は底面板排気穴２４の上方において電動機室１４の底板１３に設けられた電動機室排気穴、２８はこの電導機室排気穴２７と下部排気通路２０の通気口２０ａを開閉する開閉弁で、例えばステッピングモータや電磁力プランジャーなどによって制御される。なお、連通口５９の先端部に後述の凸部５９ａを形成し、この凸部５９ａにより通気口２０ａを開閉してもよい。
２９は後面板４の中央部のやや上方に設けられ、後部排気通路２２に連通する本体浮上排気口、３０は仕切り部材２１の両側において後面板４に設けられた複数の本体排気口である。
【００２２】
３１は掃除機本体１の上面板９上に装着されたカバーで、内部には制御室３２が形成されており、多数の電気部品が搭載されて制御回路などが形成された基板からなる制御部３３が収容されている。３４，３５は隔壁１６，１７にそれぞれ設けられた排気孔である。３６は上面板９に設けられて電動機室１４と制御室３２を連通する排気孔、３７は上面板９に設けられて、後部排気通路２２及び上部排気通路２３と制御室３２を連通する排気孔、３８はカバー３１の後壁に設けた制御室排気口である。なお、３９は前面板２及び後面板４の下部外面に設けられた係合凹部（又は係合凸部、以下同じ）である。
【００２３】
４０はホース（図示せず）の一端に設けられ、前面板２に設けた接続口３に接続される接続体で、内管４１と外管４２とからなり、内管４１は外管４２から突出して集塵室１１の集塵体１２内に開口する。４３は内管４１に設けられ、例えば集塵室１１内に設けられた集塵体１２の取付板に当接して、集塵体１２内の塵埃が集塵室１１内へ流出するのを防止する環状のシール材である。４４は内管４１に設けられて集塵前室１１ａに開口する環流口、４５は外管４２に設けられて機外に開口する外管排気口、４５ａはホース（図示せず）の先端部に形成された床用吸込具まで連通する環流風路である。
【００２４】
５０は浮上装置で、浮上体５１と、この浮上体５１に取付けられたスカート部材７０と、スカート部材７０を浮上体５１に着脱自在に固定するためのスカート止め具７５とからなっている。
浮上体５１は、上部が掃除機本体１の底部外径とほぼ同形状で、下部が段部５３を介して若干縮小された本体部５２を有し、本体部５２の前部側上部には、内壁に掃除機本体１の前面板２に設けた係合凹部３９に係合する係合凸部（又は係合凹部、以下同じ）５６を有し、外方に傾斜した着脱取っ手５４が設けられており、後部側上部には、内壁に掃除機本体１の後面板４に設けた係合凹部３９に係合する係合凹部５６を有する係合片５５が設けられている。
【００２５】
そして、本体部５２の上部は上板５７によって閉塞されており、上板５７の下部には所定の間隔を隔てて底板５８が設けられている。５９は掃除機本体１の底面板６に設けた底面板排気穴２４に対応して上板５７に設けられた筒状の連通口である。６０は連通口５９をほぼ中央にしてその外周において底板５８に立設された周壁で、その内側には排気均圧室６１が形成されており、連通口５９はこの排気均圧室６１内に開口している。なお、周壁６０の上端部と上板５７との間にはすき間ｇが形成されており、このすき間ｇの開口面積Ｂは、連通口５９の開口面積Ａとほぼ等しいか若干小さく、Ａ≧Ｂとなっている。
【００２６】
６２は本体部５２の外周の近傍において、上板５７と底板５８とを連通して上下に開口する複数の浮上排気口、６３は浮上排気口６２の内側において、底板５８に設けられた複数の浮上排気吹出口である。なお、この浮上気排気吹出口６３のうちの１つの開口面積Ｃは、連通口５９の開口面積Ａより小さく、Ａ＞Ｃに形成されている。６４は本体部５２の外壁面に設けられた複数の係合凹部（又は係合凸部、以下同じ）である。なお、６５は浮上排気吹出口６３の内側において底板５８に設けられ、スカート部材７０をセットする際の位置決め用のマークである。
【００２７】
７０は例えば耐摩耗性及び耐滑性を有する軟質材からなるシート材７１によって形成されたスカート部材で、シート材７１は浮上体５１の本体部５２の底部の形状に対応し、その外形より大きい外縁を有し、本体部５２の底板５８に設けたマーク６５とほぼ等しい内縁からなる帯状でエンドレスに形成されており、その内縁部の内側には浮上排風口７２が形成されている。なお、耐摩耗性や耐滑性を得るために、シート材７１の外表面にコーティング処理を施せば、さらに向上することは云う迄もない。
【００２８】
このスカート部材７０のシート材７１の内縁部は、例えば図５（ａ）に示すように、内側又は外側に折り曲げて折り返し部７３を形成し、その端部を溶着、逢着７４等により接合したもので、これにより、シート材７１の内縁部を重くして後述の床面への当接効果を高めると共に、耐摩耗性を向上させたものである。
また、図５（ｂ）は上記のスカート部材７０の折り返し部７３内に、例えばワイヤの如きおもり７３ａを挿入して重くし、床面への当接効果をさらに高めたものである。
【００２９】
図５（ｃ）は、シート材７１の内縁部に、耐摩耗性にすぐれたＵ字状の軟質材７３ｂを取付けて溶着、逢着７４等により一体に接合したものである。
また、図５（ｄ）は、少なくともシート材７１の内縁部近傍に２枚以上のシート材７１ａ，７１ｂを重ねて溶着、逢着７４等により一体に接合したものであり、この場合、図５（ｅ）に示すように、例えば外側のシート材７１ａを内側のシート材７１ｂより長くして接合し、外側のシート材７１ａを床面に当接させるようにしてもよい。このように形成することにより、例えば床面の凹凸等に対してシール性を向上させることができる。なお、シート材７１の内縁部は、上記のように折り曲げその他種々構成することができるが、以下の説明ではこれらを一括して折り返し部７３という。
【００３０】
７５は内形が浮上体５１の本体部５２の縮小部の外形に対応した形状で、これより若干大きく形成されたスカート止め具で、内壁面には浮上体５１の本体部５２に設けた係合凹部６４に係合する複数の係合凸部（又は係合凹部、以下同じ）７６が設けられている。７７は前面側に設けたそり部（バンパー）である。
７９は掃除機本体１の底面板６と、浮上体５１の上板５７との間に形成された排気室７８内に配設された床面上の塵埃等を捕集する集塵フィルタである。
【００３１】
次に、上記のような各部からなる浮上装置５０の掃除機本体１への取付け手順の一例について説明する。
先ず、浮上体５１を図４に示すように、上下を逆に治具等の上に載置する。ついで、スカート部材７０を浮上体５１の底板５８上に載置し、その浮上排風口７２を底板５８に設けたマーク６５に合わせる。
【００３２】
この状態で、スカート止め具７５をスカート部材７０の上に被せ、浮上体５１の本体部５２とスカート止め具７５との間にスカート部材７０のシート材７１を挟んだ状態で、段部５３に当接するまで圧下する。これにより、スカート止め具７５の内壁面に設けた係合凸部７６が、本体部５２に設けた係合凹部６４に係合し、浮上体５１、スカート部材７０及びスカート止め具７５は一体に結合される。このとき、スカート部材７０のシート材７１の内縁部の近傍は、浮上体５１の底板５８に沿って、かつ底板５８と所定のすき間を介して内側に折り曲げられ、図１の状態になる。
【００３３】
この状態におけるスカート部材７０の浮上排風路７２の開口面積Ｄは、シート材７１の折り曲げ部（浮上体５１の本体部５２より内側の部分）の面積Ｅとほぼ等しいか又はこれより若干大きくなるように、Ｄ≧Ｅに形成される。
また、浮上体５１の底板５８に設けた浮上排気吹出口６３は、スカート部材７０の折曲げ部に対向して開口する。
【００３４】
ついで、浮上体５１の上板５７上に集塵フィルタ７９を配設し、浮上体５１の段部５３の内側を掃除機本体１の底部に当接させる。そして、浮上体５１の着脱取っ手５４及び係合片５５に設けた係合凸部５６を掃除機本体１に設けた係合凹部３９に係合すれば、浮上装置５０は掃除機本体１の底部に一体に結合される。
このとき、浮上体５１に設けた連通口５９は、掃除機本体１の底面板６に設けた底面板排気穴２４と連通し、また、底面板排気口２５は底面板６と浮上体５１の上板５７との間に形成された排気室７８に開口する。
【００３５】
以上、浮上装置５０の掃除機本体１への取付け手順について説明したが、これに限定するものではなく、例えば、浮上体５１を掃除機本体１に取付け、ついで、スカート部材７０、スカート止め具７５を順次取付けるなど、適宜変更することができる。
【００３６】
次に、上記のように構成した本実施の形態に係る電気掃除機の作用について説明する。
先ず、先端部に直接又はパイプを介して床用吸込具（図示せず）が装着されたホースの接続体４０を、掃除機本体１の接続口３に接続し、集塵室１１内に配設された集塵体１２にその内管４１を挿入する。
また、コードリール１９からコードを引出して電源に接続する。そして、ホースなどに設けた電源スイッチをＯＮして電動送風機１５を駆動すれば、床用吸込具から吸込まれた塵埃は、ホース、接続具４０を経て集塵体１２に捕集され、空気は主隔壁７のファン吸気穴８から電動送風機１５に導かれ、電動送風機１５を冷却する。
【００３７】
電動送風機１５を冷却した空気は所定の圧力（外気ＰOより高いＰM）を得て排出口１５ａから電動機室１４に排出され、その一部は排気孔３４からコードリール室１８、排気孔３５、上部排気通路２３を経て、後面板４に設けた本体排気口３０から機外に排出され、この間、コードリール１９を冷却する。また、一部の排気は、排気孔３６から制御室３２に送られ、制御部３３を冷却して制御室排気口３８から機外に排出される。
【００３８】
しかし、大部分の排気は、電動機室１４の底板１３に設けた電動機室排気穴２７から連通口５９を経て排気均圧室６１に排出される。前述のように、連通口５９の開口面積Ａと、排気均圧室６１の周壁６０の上端部と上板５７との間のすき間ｇの開口面積ＢとはＡ≧Ｂに設定されているため、排気均圧室６１内に流入した風速Ｖ、圧力ＰMの排気は、風速がＶからｖに、圧力がＰMからｐにそれぞれ低下し、排気均圧室６１内の排気は動圧から静圧化され、均一化される。そして、すき間ｇを経て均圧体５１の底板５８に設けた複数の浮上排気吹出口６３から排出され、スカート部材７０のシート材７１の折り曲げ部（以下、スカート部材７０の折り曲げ部という）に吹き付けられる。
【００３９】
これにより、スカート部材７０の折り曲げ部は強力な排気圧で床面に押し付けられて気密に保持されるため、床面と均圧体５１の底板５８との間に形成された浮上空間８０内には、外気圧ＰOより高い圧力ＰMの排気が充満する。この結果、スカート部材７０の折り曲げ部を除く浮上装置５０及びこれに結合された掃除機本体１（以下、単に掃除機本体１という）が床面からほぼ水平に浮上する。このとき、スカート部材７０の折り返えし部７３は床面に接触している。なお、浮上排気吹出口６３を外側に向けて斜めに開口させれば、排気をスカート部材７０の折り曲げ部に確実に吹き付けて押し広げることができるので、床面への密着効果をさらに高めることができる。
【００４０】
この場合、電動送風機１５の排気を電動機室排気穴２７から直接床面に吹き付けると、床面上の塵埃が舞い上るばかりでなく、掃除機本体１の浮上がアンバランスになって傾いたりする。本実施の形態においては、電動送風機１５の排気を一旦排気均圧室６１に排出させ、静圧化した排気を排気均圧室６１の周囲に設けた浮上排気吹出口６３から床面（スカート部材７０の折り曲げ部）に吹き出すようにしたので、床面上の塵埃が舞い上らないばかりでなく、掃除機本体１をほぼ水平にバランスよく浮上させることができる。
【００４１】
一方、浮上空間８０内の排気は、複数個の浮上排気口６２から排気室７８に送られ、集塵フィルタ７９でろ過されたのち、その一部は掃除機本体１の底面板６に設けた底面板排気口２５ａから、後部排気風路２２を経て本体浮上排気口２９から機外に排出され、また、上面板９に設けた排気孔３７、制御室３２を経て制御室排出口３８から機外に排出され、浮上空間８０内の排気圧ＰMをほぼ一定に保持する。
さらに、集塵フィルタ７９でろ過された排気室７８内の排気は、掃除機本体１の底面板６に設けた底面板排気口２５ｂから、集塵前室１１ａ、接続具４０の内管４１と外管４２の間を経て外管排気口４５から機外に排出され、また、内管４１の環流口４４から内管４１内に導かれ、吸引されたホース内の空気と共に再び集塵体１２内に吸引されて、環流する。
【００４２】
ここで、浮上空間８０内の排気を接続体４０に設けた環流口４４から集塵室１１に環流させることにより、浮上空間８０内の排気を確実に排気室７８に導くことができるので、浮上空間８０内の排気がスカート部材７０の折り曲げ部と床面の間から流出するのをより確実に防止することができ、これにより、室内に塵埃が舞上るのを防止できて、室内を清潔に保つことができる。
また、接続体４０の外管４２を、外管排気口４５を省略してホースを経て床用吸込具まで延長し、排気を床面に排出させて塵埃と共に吸引させ、集塵室１１に環流させるようにしてもよい。
【００４３】
ところで、掃除する床面がフローリングの場合は、浮遊排気吹出口６３から吹き出した排気はスカート部材７０の折り曲げ部を床面に確実に密着させて浮上空間８０内の圧力を保持し、掃除機本体１を確実に浮上させることができる。この場合、必要に応じて開閉弁２８により電動機室排気穴２７の開度を若干小さくし、下部排気通路２０の通気口２０ａを若干開口して排気の一部を機外に排出することにより掃除機本体１の浮上を一定に保持するようにしてもよい。
【００４４】
また、床面がじゅうたんの場合は、スカート部材７０が床面に密着しにくいたため、排気の一部がスカート部材７０の折り曲げ部の下から室内に洩れて浮上空間８０内の圧力が低下し、掃除機本体１が十分浮上できないことがある。このような場合は、必要に応じて開閉弁２８により電動機室排気穴２７の開口面積を大きくすると共に、下部排気通気路２０の通気口２０ａの開口面積を小さくするか又は閉塞して浮上空間８０内の圧力を高め、スカート部材７０の折り曲げ部をじゅうたんに圧着させて室内に洩れる排気を遮断又はできるだけ少なくすることにより、掃除機本体１の浮上を一定に保持することができる。
【００４５】
こように、本実施の形態によれば、排気均圧室６１から浮上排気吹出口６３を経て浮上空間８０内に排気された排気は、ほぼ同量の排気が浮上排気口６２、排気室７８、排気口２５等を経て機外に排出され、又はその一部を環流させるようにしたので、浮上空間８０内は外気圧ＰOより高いほぼ一定の圧力ＰMに維持され、掃除機本体１の浮上をほぼ一定の高さで安定して水平に保持することができ、掃除機本体１を軽く楽に移動させることができる。
【００４６】
この場合、前述のように、スカート部材７０の浮上排風路７２の開口面積Ｄを、シート材７１の折り曲げ部の面積Ｅとほぼ等しいか又はこれより若干大きく形成したので、掃除機本体１の移動にあたって床面に対するシート材７１の抵抗が少なく、スムーズに移動させることができる。なお、掃除機本体１の移動にあたっては、スカート止め具７５の前面側にそり部７７が設けられているので、敷居などの乗り越えが容易であり、また、掃除機本体１及び浮上装置５０を障害物等から保護することができる。
【００４７】
次に、浮上装置５０に代えて車輪により掃除機本体１を移動させる場合について、図６により説明する。なお、図１と同じ部分には、これと同じ符号を付し、省略する。
図６において、８１は車輪部材で、掃除機本体１の底部とほぼ同じ形状に形成されており、前後に、内壁面に掃除機本体１の前面板２と後面板４に設けた係合凹部３９と係合する係合凸部８５（又は係合凹部、以下同じ）を有する係止片８３，８４が設けられた基台８２を有し、この基台８２の後部両側には車輪８６が取付けられ、前部側の中央部にはキャスタ８７を着脱可能に取付けたものである。
【００４８】
この車輪部材８１を掃除機本体１に装着するには、先ず、掃除機本体１から浮上装置５０を取外し、車輪部材８１の基台８２を掃除機本体１の底部に当接して、その係止片８３，８４の係合凸部８５を掃除機本体１の係合凹部３９に係合させればよい。
本例によれば、必要に応じて掃除機本体１に、浮上装置５０又は車輪部材８１を簡単に取付けることができ、また、スカート部材７０が汚れたり破損したときは容易に交換できるので、使い勝手のよい電気掃除機を得ることができる。なお、図１において、浮上装置５０に直接車輪８６やキャスタ８７を設け、電動送風機１５の運転時のみ車輪８６やキャスタ８７が床面から浮上するようにしてもよい。
【００４９】
［実施の形態２］
図７は本発明の実施の形態２に係る電気掃除機の掃除機本体の縦断面図である。なお、実施の形態１と同じ部分にはこれと同じ符号を付し、説明を省略する。
本実施の形態は、実施の形態１における排気風路及び電動送風機の駆動電源を変更したものである。
【００５０】
図７において、９０は電動機室１４の隔壁１６の後部側に設けた充電池室で、充電池９１が設置されている。２２は充電池室９０の隔壁１７と後面板４との間に形成された後部排気通路で、下部は下部排気通路２０及び底面板６に設けた底面板排気口２５を介して排気室７８に連通しており、上部は上面板９に設けた通気孔３７ａを介して制御室３２に連通している。なお、８８は底面板排気口２５の開度を制御する第２の開閉弁で、開閉弁２８と同様にステッピングモータ等によりその開口面積が制御されて機外に排出する排気量が調節される。８９は制御室３２の後壁に設けた充電池９１の充電用電源の接続部である。
４０はホースの一端に接続されて、掃除機本体１の前面板２に設けた接続口３に接続される接続体で、その先端部は集塵体１２内に突出している。
【００５１】
本実施の形態においては、ホースなどに設けた電源スイッチをＯＮすると、充電池９１から電動送風機１５に通電されてこれを駆動し、実施の形態１の場合と同様に、床面の塵埃を吸引して集塵体１２内に捕集し、空気は集塵体１２でろ過されて電動送風機１５に吸引され、これを冷却する。
また、電動送風機１５から排出された排気を浮上装置５０に排出して均圧化し、掃除機本体１を浮上させる作用も実施の形態１の場合と同様である。
【００５２】
そして、浮上空間８０からの排気は、浮上排気口６２から排気室７８に流入し、集塵フィルタ７９でろ過されたのち、後部側に設けた底面板排気口２５から後部排気通路２２に導かれ、後面板４に設けた本体排気口３０から機外に排出されるようになっている。なお、必要に応じて、実施の形態１で説明したように、浮上装置５０を車輪部材８１と交換し、車輪を用いて掃除機本体１を移動させるようにしてもよく、あるいは、車輪８６及びキャスタ８７を掃除機本体１の下部に設け、電動送風機１５の運転時のみ床面から浮上させるようにしてもよい。
【００５３】
本実施の形態によれば、実施の形態１の場合とほぼ同様の効果を得ることができ、さらに、使用に際してその都度コードを引き出して商用電源に接続する必要がなく、また、商用電源が設けられていない場所でも使用できるので、使い勝手のよい電気掃除機を得ることができる。なお、充電池９１の充電状態を例えば掃除機本体１やホースに設けた表示器で表示するようにし、充電電気量が低下したときは、制御室３２に設けた接続部８９に充電用電源を接続して充電すればよい。なお、充電池９１は浮上体５０の上方であれば掃除機本体１のどこに収容してもよい。
【００５４】
［実施の形態３］
図８は本発明の実施の形態３に係る電気掃除機の掃除機本体の要部を示す説明図である。なお、実施の形態１又は２と同じ部分にはこれと同じ符号を付し、説明を省略する。
前述のように、掃除をする床面の状態（フローリング、じゅうたん、畳など）によって、排気によるスカート部材７０の床面への密着度が異なるため、浮上空間８０内の排気圧力が相違し、例えば、床面がじゅうたんの場合には、毛足の長さや量により掃除機本体１が十分浮上できないことがある。そこで、開閉弁２８によって電動機室排気穴２７及び下部排気通路２０の通気口２０ａの開度を調節して、掃除機本体１の浮上が床面の状態に関係なくほぼ一定になるようにしている。
本実施の形態は、浮上空間８０内を常に所定圧に維持して、掃除機本体１を所定の高さに浮上させ、かつこの高さ位置に保持するようにしたものである。
【００５５】
図８において、９２は排気室７８内に設置された排気圧センサで、図１０に示すように、電源９３に電源スイッチＳＷ、排気圧センサ９２、及び例えばステッピングモータＳＭの如き駆動手段９４が直列に接続され、また、電源９３には電動送風機１５及び制御部３３が並列に接続されている。そして、排気圧センサ９２は、常時排気室７８内の排気圧を検出してその検出信号を制御部３３に送信する。
【００５６】
床面が例えばフローリングで排気室７８内の圧力が高いときは、制御部３３は駆動手段９４に制御信号を送って開閉弁２８を反時計回り方向に回動させ、電動機室排気穴２７の開口面積を小さくすると共に、下部排気通路２０の通気口２０ａを一部開口して、一部の排気を下部排気通路２０から後部排気通路２２を経て機外に排出し、浮上空間８０内の圧力を低下させ、浮上した掃除機本体１を所定高さ位置に保持する。
【００５７】
また、床面が例えばじゅうたんで、一部の排気がスカート部材７０の下から室内に洩れるため、浮上空間８０内の圧力が低く掃除機本体１が十分浮上しない場合は、制御部３３は排気室７８内の排気圧センサ９２の検出信号に基いて駆動手段９４に制御信号を送り、図９に示すように、開閉弁２８を時計回り方向に回動させて電動機室排気穴２７の開口面積を大きくすると共に、排気通路２０の通気孔２０ａの開口面積を小さくし、または閉塞してより多くの排気を排気均圧室６１に送り、高い圧力の排気を浮上排気吹出口６３からスカート部材７０の折り曲げ部に吹き付けて折り曲げ部を床面に強力に押し付け、浮上空間８０内の圧力を上昇させて掃除機本体１を所定高さに浮上させる。
【００５８】
上記の説明では、排気圧センサ９２の検出結果に基いて、電動機室排気穴２７に設けた開閉弁２８を制御し、電動機室、排気室２７及び排気通路２０の排気口２０ａの開度を調整し、浮上空間８０内の圧力を制御して掃除機本体１をほぼ一定高さ位置に浮上させる場合について説明したが、開閉弁２８を省略し、図１１に示すように、排気圧センサ９２の検出信号を受けた制御部３３は、これに基づく制御信号を電動送風機１５に送り、電動送風機１５の出力を制御して排気圧を調整するようにしてもよい。
【００５９】
上記の説明では、排気圧センサ９２を排気室７８内に設置した場合を示したが、排気センサ９２は排気均圧室６１内あるいは浮上空間８０内など、浮上空間８０内の圧力を直接または間接的に測定できる位置であれば、他の場所に設けてもよい。
本実施の形態によれば、床面の状態に対応して浮上空間８０内の圧力を自動的に調整し、掃除機本体１を常にほぼ一定の高さに浮上させるようにしたので、移動が容易で使い勝手のよい電気掃除機を得ることができる。
【００６０】
［実施の形態４］
図１２は本発明の実施の形態４に係る電気掃除機の掃除機本体の縦断面図である。なお、実施の形態１又は２と同じ部分にはこれと同じ符号を付し、一部の説明を省略する。
図１２において、５１ａは実施の形態１，２で説明した浮上装置５０の浮上体５１とほぼ同じ構造の浮上体で、掃除機本体１の底部に一体に形成されており、掃除機本体１の底面板６と浮上体５１ａの上板５７との間には排気室７８が形成され、上板５７と底板５８との間には排気均圧室６１が形成されている。また、底面板６と上板５７の間には、隔壁７の近傍において電動機室１４と排気均圧室６１を連通する連通口５９が設けられている。そして、浮上体５１ａには、実施の形態１，２の場合と同様にスカート止め具７５によりスカート部材７０が装着され、これらにより浮上装置５０を構成している。
【００６１】
４０は前面板２に設けた接続口３に接続されたホースの接続体で、集塵体１２内に開口している。なお、前面板２には複数の前部排気口２ａが設けられている。８６は掃除機本体１の後部両側に設けた車輪、３１ａは制御室３２に設けた本体ハンドルである。
【００６２】
上記のように構成した本実施の形態においては、電動機室１４内の排気は、連通口５９から排気均圧室６１内に排出されて均圧化され、浮上排気吹出口６３から吹き出してスカート部材７０の折り曲げ部を床面に圧着させ、浮上空間８０内に排気を充満させて掃除機本体１を浮上させる。
そして、浮上空間８０内の排気は、浮上体５１ａの後部側に設けた浮上排気口６２から排気室７８内に流入し、掃除機本体１の底面板６の前部側に設けた底面板排気口２５から集塵前室１１ａを経て、前部排気口２ａから機外に排出される。
【００６３】
上記の説明では、前面板２に設けた前部排気口２ａから排気を排出する場合を示したが、この前部排出口２ａを省略し、浮上排気口６２を浮上体５１ａの前部側に設けると共に、底面板排気口２５を底面板６の後部側に設けて、排気を後面板４に設けた本体排気口３０から機外に排出するようにしてもよい。
【００６４】
本実施の形態によれば、浮上体５１ａを掃除機本体１と一体に構成したので、浮上装置５０のセットが容易である。また、掃除機本体１の後部側に車輪８６を設けたので、掃除を行わない場合などには、ホースにより掃除機本体１の前部側を持上げて引けば、車輪８６により自由に移動することができる。当然のことながら掃除機本体１の浮上時は車輪８６は床面と非接触である。
【００６５】
［実施の形態５］
図１３は本発明の実施の形態５に係る電気掃除機の掃除機本体の縦断面図である。なお、実施の形態１〜４と同じ部分にはこれと同じ符号を付し、説明を省略する。
図において、５１ａは掃除機本体１の底部に一体に形成された浮上体で、掃除機本体１の底面板６と浮上体５１ａの上板５７との間には排気室７８が形成されており、その周壁には複数の浮上体排気口３０ａが設けられている。
【００６６】
また、上板５７の下部には底板５８が設けられて上板５７との間に排気通気路６１ａが形成されており、底板５８の外周には斜め外方に傾斜した複数の浮上排気吹出口６３が設けられている。６２は浮上体５１ａの周壁の近傍において上板５７に設けられた複数の浮上排気口である。
そして、浮上体５１ａの周壁には、掃除機本体１の周壁に固定されたスカート止め具７５によりスカート部材７０が着脱自在に装着されている。なお、７５ａはスカート止め具７５に排気室７８に設けた浮上体排気口３０ａに対応して設けられた複数のスカート止め具排気口である。
【００６７】
上記のように構成した本実施の形態においては、電動送風機１５からの排気は、連通口５９から排気通気路６１ａ内に排出されて、浮上排気吹出口６３から吹き出し、スカート部材７０の折り曲げ部を床面に圧着させ、外気圧より高い圧力の排気を浮上空間８０内に充満させて、掃除機本体１を浮上させる。
【００６８】
そして、浮上空間８０内の排気は、上板５７に設けた浮上排気口６２から排気室７８内に流入し、浮上体排気口３０ａ、スカート止め具排出口７５ａを経て機外に排出され、浮上空間８０内の圧力をほぼ一定に維持する。
本実施の形態によれば、浮上体５１ａを掃除機本体１と一体に構成したので、浮上装置５０のセットが容易である。
【００６９】
［実施の形態６］
図１４は本発明の実施の形態６に係る電気掃除機の掃除機本体の縦断面図である。なお、実施の形態１〜５と同じ部分にはこれと同じ符号を付し、説明を省略する。
５１ａは掃除機本体１の底部に一体に、かつその周壁が掃除機本体１の周壁よりやや内側に位置して設けらにれた浮上体で、掃除機本体１の底面板６の下方には、中央から外周に向って上方に湾曲し、周壁が斜め外方に向って形成された底板５８が設けられており、掃除機本体１の底面板６との間に排気均圧室６１が形成されている。そして、この周壁と浮上体５１ａの周壁との間には、斜め外方に傾斜した複数の浮上排気吹出口６３が設けられている。
【００７０】
６１ｂは浮上体５１ａの周壁の上下方向のほぼ中央部から外方に張り出したほぼ逆Ｌ字状の第２の周壁で、その水平部には浮上空間８０に連通する複数の浮上排気口６２が設けられている。そして、スカート部材７０は、複数のスカート部材排気口７５ａを有し、掃除機本体１に固定されるスカート止め具７５により、第２の周壁６１ｂに着脱自在に装着される。
【００７１】
上記のように構成した本実施の形態においては、電動送風機１５からの排気は、連通口５９から排気均圧室６１内に排出されて均圧化され、浮上排気吹出口６３から吹き出してスカート部材７０の折り曲げ部を床面に圧着させ、外気圧より高い圧力の排気を浮上空間８０内に充満させて、掃除機本体１を浮上させる。
【００７２】
そして、浮上空間８０内の排気は、第２の周壁６１ｂに設けた浮上排気口６２、スカート止め具７５に設けたスカート止め具排出口７５ａから機外に排出され、浮上空間８０内の圧力をほぼ一定に維持する。
本実施の形態によれば、浮上体５１ａを掃除機本体１と一体に構成したので、浮上装置５０のセットが容易である。
【００７３】
［実施の形態７］
図１５は本発明の実施の形態７に係る電気掃除機の掃除機本体の一部断面図である。なお、実施の形態１〜６と同じ部分にはこれとと同じ符号を付し、説明を省略する。
本実施の形態においては、浮上装置５０の浮上体５１ａを掃除機本体１下部にこれと一体に構成し、その底面板６と底板５８との間に排気通気路６１ａを形成し、その外周に複数の浮上排気吹出口６３を設けたものである。そして排気通気路６１ａの外周に設けた浮上排気排気口６２の上部において、浮上体５１ａの周壁に浮上体排気口３０ａを設けて、スカート止め具７５に設けたスカート止め具排気口７５ａに連通させたものである。
【００７４】
本実施の形態において、電動機室１４からの排気は、掃除機本体１の底面板６に設けた底面板排気口２４から排気通気路６１ａに排出され、風速Ｖ、圧力ＰMを若干低下して浮上排気吹出口６３から吹き出し、スカート部材７０の折り曲げ部を床面に圧着させて、外気より高い圧力の排気を浮上空間８０内に充満させて掃除機本体１を浮上させる。
そして、浮上空間８０内の排気は、浮上排気口６２から浮上体排気口３０ａ、スカート止め具排気口７５ａを経て機外に排出され、浮上空間８０内の圧力をほぼ一定維持する。
【００７５】
本実施の形態によれば、浮上体５１ａを掃除機本体１と一体に構成し、かつ電動機室１４内の排気を排気通路６１ａを介して、直接スカート部材７０の折り曲げ部に吹き付けるようにしたので、構造が簡単で浮上装置５０のセットも容易である。
【００７６】
［実施の形態８］
図１６は本発明の実施の形態８に係る電気掃除機の掃除機本体の縦断面図である。なお、実施の形態１〜７と同じ部部にはこれと同じ符号を付し、説明を省略する。
図１６において、１５は電動機室１４内に収容された電動送風機で、本実施の形態においては、電動送風機１５は、モータ９５と、このモータ９５に駆動されて床面の塵埃当を吸引する吸塵ファン９６と、モータ９５を冷却する冷却ファン９７とからなっている。
【００７７】
そして、吸塵ファン９６は掃除機本体１の主隔壁７に設けファン吸気穴８の後部側に設置された吸塵ファンケーシング９８内に収容され、また、冷却ファン９７はモータ９５と一体に設けられた冷却ファンケーシング９９内に収容されており、冷却ファン９７及び吸塵ファン９６はモータ９５の出力軸に取付けられている。１００は吸塵ファンケーシング９８の外周壁に設けた複数の排気口である。
【００７８】
上記のように構成した本実施の形態において、電源スイッチをＯＮしてモータ９５を駆動すると、吸塵ファン９６及び冷却ファン９７が同時に回転する。これにより、床面上の塵埃等は床用吸込具から吸引され、ホースを経て集塵体１２内に集塵され、昇圧された空気は集塵体１２でろ過されて吸塵ファンケーシング９８内に吸引される。そして、排気口１００から排気され、掃除機本体１の底面板６に設けた底面板排気穴２４から排気通気路６１ａを経て、浮上排気吹出口６３からスカート部材７０の折り曲げ部に向って吹き付けられ、折り曲げ部を床面に圧着して浮上空間８０内に充満される。これにより、掃除機本体１はほぼ水平に浮上する。
【００７９】
そして、浮上空間８０内の排気は、複数の浮上排気口６２から底面板排気口２５を経て後部排気風路２２からフィルタ２２ａを経て本体排気口３０から機外に排出される。また、底面板排気口２５から集塵前室１１ａを経て前面板排気口２ａから機外に排出され、浮上空間８０内の圧力をほぼ一定に維持する。
【００８０】
一方、電動機室１４には、冷却ファン９７の回転によって制御室吸気口３８ａ、制御室３２を経て電動機室吸気口３６ａから吸引された外気が流入し、この外気によってモータ９５が冷却されて、その排気はモータ排気口９５ａから隔壁１７の排気口３５を経て後部排気風路２２に流入し、フィルタ２２ａを経て本体排気口３０から機外に排出される。
【００８１】
本実施の形態によれば、吸塵ファン９６と冷却ファン９７を有する電動送風機１５を設け、掃除機本体１を浮上させる排気は吸塵ファン９６の排気を利用し、モータ９５は冷却ファン９７によって流入した外気によって冷却するようにしたので、高温の排気が浮上空間８０に充満することがなく、このため、スカート部材７０が高温によって劣化したり、床面が変形したり変色したりするおそれがない。また、浮上空間８０からの排気を後部排気風路２２内に流入させれば、モータ９５を冷却した排気の温度を低下させることができる。
【００８２】
［実施の形態９］
図１７は本発明の実施の形態９に係る電気掃除機の掃除機本体の縦断面図である。なお、実施の形態１〜８と同じ部分にはこれと同じ符号を付し、説明を省略する。
図１７において、１５は電動機室１４内に収容された電動送風機で、モータ９５の前面側にはファン１０１が設けられている。１０２は前壁の中心部に吸気口を有しファン１０１が収容されたファンケーシングで、後壁の内側に隔壁１０３が設けられており、隔壁１０３の前部側の周壁には複数の排気口１０４が設けられている。また、また、隔壁１０３の外周には複数の分流排気口１０５が設けられており、後壁の中心部にはモータ９５に開口する通気孔１０６が設けられている。
【００８３】
上記のように構成した本実施の形態においては、ファン１０１によって集塵室１１から吸引された排気は、吸気口からファンケーシング１０２内に導かれ、排気口１０４から底面排気穴２４、連通口５９を経て排気均圧室６１に流入し、排気均圧室６１で均圧化されたのち浮上排気吹出口６３からスカート部材７０の折り曲げ部及び床面に向って吹き出され、浮上空間８０に充満して掃除機本体１を浮上させる。
そして、浮上空間８内の排気は、浮上排気口６２、排気室７８を経て底面板排気口２５から集塵前室１１ａに送られ、二重管からなる接続体４０から機外に排出されあるいは床用吸込具を経て循環し、浮上空間８０内の排気圧をほぼ一定に維持する。
【００８４】
一方、ファンケーシング１０２内の排気の一部は、隔壁１０３に設けた分流排気口１０５を経て通気口１０６からモータ９５内に取り込まれ、モータ９５を冷却したのちモータ排気口９５ａから電動機室１４内に排気され、排気口３４、コードリール室１８を経てフィルタ２２ａでろ過され、本体排気口３０から機外に排出される。この間、コードリール１９を冷却する。
なお、掃除機本体１の浮上用排気は、掃除機変態１が床面より浮上するに必要な排気量を確保すればよいので、例えば実施の形態３で説明したように、浮上空間８０内の排気圧を直接又は間接的に測定しうる位置に排気圧センサを設けると共に、底面板排穴２４に開閉弁を設け、排気圧センサの検出結果に基づいて開閉弁を制御し、底面板排気穴２４の開口面積を調整して、浮上に必要な排気量を確保するようにしてもよい。
【００８５】
本実施の形態によれば、ファン１０１によって吸引された集塵室１１からの排気は、ファンケーシング１０２内で掃除機本体１の浮上用の排気と、モータ９５の冷却用の排気とに分流される。そして、掃除機本体１の浮上用の排気は、モータ９５を冷却しないので温度が上昇せず、このため、スカート部材７０が劣化したり、床面が熱くなって変形や変色などが生ずるおそれがなく、また、床用吸込具を経由して繰返えし循環させても排気温度が上昇することはない。なお、浮上空間８０からの排気を本体排気口３０から排出させるようにすれば、実施の形態８の場合と同様に排気温度を低下させることができる。
【００８６】
［実施の形態１０］
図１８は本発明の実施の形態１０に係る電気掃除機の掃除機本体の縦断面図である。なお、実施の形態１〜９と同じ部分にはこれと同じ符号を付し、説明を省略する。
本実施の形態においては、掃除機本体１の主隔壁７と隔壁１７との間に電動機室１４が形成され、隔壁１７と後面板４との間に下部通気排路２０に連通する後部排気通路２２が設けられている。そして、電動機室１４には実施の形態９の電動送風機１５と同様のモータ９５とファン１０１からなる電動送風機１５が設置されており、モータ９５の下部の底板１３には、下部通気排路２０に連通する複数の排気孔３５が設けられている。
【００８７】
１０７は複数の通気孔１０８を有し、集塵室１１の下部に着脱自在に設置された仕切り板で、この仕切り板１０７と底面板６との間には充電池室９０が設けられており、充電池９１が収容されている。なお、充電池９０が寿命に達したときは、開閉蓋１０を開放し、集塵室１１から手を差し込んで仕切り板１０７を取り外し、新らしい充電池９０と交換すればよい。
【００８８】
５１ｂは掃除機本体１の底部に、その周壁よりやや内側において掃除機本体１の一体形成された浮上体周壁、５８はほぼ皿状の底板で、浮上対周壁５８の内壁に、例えば凸部と凹部かなる嵌合手段（図示せず）により着脱可能に装着されており、底部には複数の浮上排気吹出口６３が設けられている。そして、浮上体周壁５１ｂの外周には、スカート止め具７５によりスカート部材７０が着脱可能に装着されている。
【００８９】
５７は掃除機本体１の底面板６と底板５８との間において、通気口５９の先端部外周に設けられた上板で、その外周と底板５８との間には複数の排気口６１ａが設けられており、また、上板５７と底面板６との間には排気室７８が形成され、上板５７と底板５８との間には排気均圧室６１が形成されている。
２５ａは底面板６に設けられて排気室７８と下部排気通路２０とを連通する底面板排気口、２５ｂは充電池室９０の前面側において底面板６に設けられた底面板排気口で、排気室７８と前部側の下部排気通路２０を連通する。
【００９０】
次に、上記のように構成した本実施の形態の作用を説明する。なお、充電池９１から電動送風機１５への通電、充電池９１の充電等は実施の形態２の場合と同様である。
電動送風機１５によって集塵室１１から吸引された排気は、ファンケーシング１０２内に導かれ、排気口１０４から底面板排気口２４，連通口５９を経て排気均圧室６１に流入し、排気均圧室６１で均圧化されたのち浮上排気吹出口６３からスカート部材７０の折り曲げ部に向って吹き出され、折り曲げ部を床面（図にはじゅうたんが示してある）に圧着して、静圧化された排気を浮上空間８０に充満させ、掃除機本体１を浮上させる。
【００９１】
また、排気均圧室６１で均圧化された排気の一部は、排気口６１ａから排気室７８に流入し、底面板排気口２５ａ，２５ｂから下部排気通路の２０を経て本体排気口３０及び前部排気出口２ａから機外に排出され、排気均圧室６１内、したがって浮上空間８０内の排気圧をほぼ一定に維持する。
なお、このとき、集塵室１１内の排気の一部は、仕切り板１０７に設けた通気口１０８から充電池室９０に流入し、充電池９１を冷却して再び通気口１０８から集塵室１１に戻り、電動送風機１５に吸引される。
【００９２】
一方、ファンケーシング１０２内の排気の一部はモータ９５内にとり込まれ、モータ９５を冷却したのちモータ排気口５ａから電動機室１４内に排気され、排気孔３５、下部排気通路２０、後部排気通路２２を経てフィルタ２２ａでろ過され、本体排気口３０から機外に排出される。
【００９３】
本実施の形態によれば、実施の形態９の場合とほぼ同様の効果が得られるが、さらに、充電池９１を集塵室１１の下方に設けたので、電動送風機１５との重量バランスがよく、掃除機本体１の浮上が安定する。
また、充電池９１を電動送風機１５の上流側に設けて空冷するようにしたので、空冷効果を向上させることができ、充電池９１の寿命を延ばすことができる。なお、本実施の形態の排気均圧室６１は、他の実施の形態にも実施することができる。
【００９４】
［実施の形態１１］
図１９は本発明の実施の形態１１に係る電気掃除機の掃除機本体の縦断面図である。なお、実施の形態１０と同じ部部にはこれと同じ符号を付し、説明を省略する。
本実施の形態の構成は、実施の形態１０とほぼ同様であるが、掃除機本体１の底面板６には、連通口５９の周辺に複数の底面板排気口２５が設けられており、また、下部排気通路２０の集塵室１１の下部には充電池９１が収容されている。
【００９５】
また、浮上装置５０においては、上板５７を小さく形成して、掃除機本体１の底面板６と底板５８との間に排気均圧室６１を形成しているが、特に、本実施の形態においては、スカート部材７０の底部に設けた浮上排風路７２を多数の小孔で形成したものである。
例えば、図２０に示すように、スカート部材７０の浮上排風路７２より若干大きく多数の小孔１１１を有する網状の部材１１０を、浮上排風路７２の内側又は外側の外周に接着剤等で貼り付けて浮上排風路７２ａを形成し、あるいは、図２１に示すように、スカート部材７０に大きな浮上排風路７２に設けずに、スカート部材７０の底部の浮上排風路７２にほぼ対応する領域に、多数の小孔１１１からなる浮上排風路７２ａを設けたものである。
【００９６】
本実施の形態の作用は、実施の形態１０とほぼ同様であり、電動送風機１５の排気口１０４から排気された排気は、連通口５９から排気均圧室６１に流入し、ここで均圧化されて浮上排気吹出口６３からスカート部材７０に向って吹出し、浮上空間８０に排気を充満させて掃除機本体１を浮上させる。また、底面板排気口２５から下部排気通路２０に流入した排気は前後に分離流されて、一部は本体排気口３０から機外に排出され、一部は充電池９１を冷却して前部排気口２ａから機外に排出される。
【００９７】
また、浮上した掃除機本体１を移動するにあたっては、スカート部材７０の底部が多数の小孔１１１（又はメッシュ）で形成されているため、障害物が浮上空間８０内に侵入しにくいので、スムーズに移動させることができる。なお、上記のように構成した本実施の形態に係るスカート部材７０は、本発明の他の実施の形態においても使用することができる。
【００９８】
上記のように構成した本実施の形態の効果は、実施の形態１０の場合とほぼ同様であるが浮上装置５０のスカート部材７０の底部のに多数の小孔１１１をもうけたので、浮上時に浮上空間８０内に障害物が侵入するおそれがなく、掃除機本体１の移動をスムーズに行うことができる。
【００９９】
［実施の形態１２］
図２２は本実施の形態２に係る電気掃除機の掃除機本体の説明図である。
本実施の形態は、図に示すように、後部両側に車輪８６が設けられ、前部中央部にキャスタ８７が取付けられた掃除機本体１において、その底部の車輪８６とキャスタ８７（以下、両者を一括して車輪８６，８７という）で囲まれた領域に、浮上装置５０を設けたものである。なお、浮上装置５０の上方には、部品として重い電動送風機やコードリールあるいは充電池などが収容されている。
【０１００】
上記のように構成した本実施の形態においては、常時（電源スイッチがＯＦＦの状態）は図２２（ａ）に示すように、掃除機本体１を車輌８６，８７により床面上を移動させ、掃除を行う際に電源スイッチをＯＮすると、図２２（ｂ）に示すように、浮上装置５０が作動して掃除機本体１を浮上させ、床面上を引き回せるようにしたものである。なお、このとき、浮上装置５０は、車輌８６，８７が床面から離れる高さまで掃除機本体１を浮上させる。
【０１０１】
本実施の形態は、掃除機本体１に車輪８６，８７と浮上装置５０の両者を設けたので、掃除を始める前及び掃除を開始してから、掃除機本体１を軽く楽に移動させることができるので、使い勝手のよい電気掃除機を得ることができる。本実施の形態は他の実施の形態にも実施することができる。
【０１０２】
［実施の形態１３］
本実施の形態は、上述の各実施の形態における浮上装置の他の例を示すものである。
図２３の例は、浮上装置５０を構成する浮上体５１の浮上排気吹出口６３を、掃除本体１の重心位置の周囲に複数個設けたものである。
このように構成したことにより、床面が傾斜面等で重心位置が変化しても、掃除機本体１は安定した浮上状態を維持することができる。
【０１０３】
図２４の例は、スカート止め具７５を、下部が開口したほぼヨ字状に形成して外周側に外スカート７０ａを取付けると共に、上部に複数個の補助排気口７５ｂを設け、浮上体５１との間にスカート部材７０を着脱自在に固定したものである。
このように構成したことにより、内側のスカート部材７０と床面との間から排気が洩れた場合には、この排気はスカート部材７０と外スカート７０ａとの間を通って補助排出口７５ｂから機外に排出され、床面に沿って機外に排出されることがないので、床面の塵埃が舞い上るのを防止することができる。
【０１０４】
図２５の例は、スカート部材７０をほぼ円筒状に形成して、その下端部に例えば金属片や磁石、ワイヤなどのスカート部材７０より比重の高いおもり７３ａを取付けるなどして下端部を重く構成し、スカート取付具７５によって浮上体５１に垂下して取付け、掃除機本体１が浮上したときでもスカート部材７０の下端部が常に床面に当接して、浮上空間８０内をほぼ気密に保持するようにしたものである。なお、この場合、浮上排気吹出口６３からの排気は、スカート部材７０の内面に吹き付けられるので、床面の塵埃を直接舞い上げることがなく、スカート部材７０を風圧で確実に床面に押圧する。当然床面とのシール効果が向上する。本例によれば、スカート部材７０の浮上体５１への着脱が容易であり、特に、おもり７３ａのない場合でも、排気圧によりスカート部材７０が確実に床面に圧接され、そのシール性を向上させることができ、掃除機本体１を安定して浮上させることができる。
【０１０５】
図２６の例は、例えば実施の形態１０（図１８）の電気掃除機において、底板５８の底部の外周において、浮上排気吹出口６３に干渉しない位置に複数のリブ１１２を設け、非通電時においてはもスカート部材７０と底板５８との間に常に一定のすき間を形成するようにしたものである。
これにより、通電時に浮上空間８０内にスムーズに排気が導入され、短時間でかつ安定して掃除機本体１を浮上させることができる。
【０１０６】
以上、本発明の実施の形態について説明したが、本発明はこれに限定するものではなく、各実施の形態を組合わせあるいは一部を取り込むなど、適宜変更することができる。
【０１０７】
【発明の効果】
本発明に係る電気掃除機は、集塵室及び電動送風機が収容された電動機室を有する掃除機本体と、この掃除機本体の下部に設けられ、電動送風機からの排気により掃除機本体を床面から浮上させる浮上装置とを備え、浮上装置を、上部に電動機室と連通する連通口を有し、下部に複数の浮上排気吹出口、排気を溜める排気均圧室及び複数の浮上排気口が設けられた浮上体と、浮上体の周囲に取付けられ一端が内側に折り曲げられて床面に接触しその外表面に耐摩耗性又は耐滑性を有する軟質材からなるスカート部材とによって構成し、浮上排気吹出口をスカート部材の折曲げ部に開口し、浮上排気吹出口から排出させた排気がスカート部材の折り曲げ部に吹き付けられて折り曲げ部を床面に密着させるようにしたので、掃除機本体をほぼ一定の高さで浮上させて水平に保持することができ、これにより掃除機本体を軽く楽に移動することができる。
【０１０８】
また、本発明に係る電気掃除機は、集塵室及び電動送風機が収容された電動機室を有する掃除機本体と、この掃除機本体の下部に設けられ、電動送風機からの排気により掃除機本体を床面から浮上させる浮上装置とを備え、浮上装置を、上部に電動機室と連通する連通口を有し、下部に複数の浮上排気吹出口、排気を溜める排気均圧室及び複数の浮上排気口が設けられた浮上体と、この浮上体の周囲に着脱自在に取付けられ一端が内側に折り曲げられて床面に接触する軟質材からなるスカート部材とによって構成し、浮上排気吹出口をスカート部材の折曲げ部に向って開口したので、上記と同様の効果を得ることができる。
【０１０９】
さらに、本発明に係る電気掃除機は、集塵室及び電動送風機が収容された電動機室を有する掃除機本体と、該掃除機本体の下部に設けられ、前記電動送風機からの排気により前記掃除機本体を床面から浮上させる浮上装置とを備え、前記電動機室の底板に電動機室排気穴を設けると共に、前記掃除機本体の底面板に前記電動機室排気口に連通する底面板排気穴を設け、前記浮上装置を、上板に前記底面板排気穴に連通する連通口を有し、前記上板の下部に複数の浮上排気吹出口、前記排気を溜める排気均圧室及び前記上板に開口する複数の浮上排気口が設けられた浮上体と、該浮上体の周囲に取付けられ一端が内側に折り曲げられて床面に接触しその外表面が耐摩耗性又は耐滑性を有する軟質材からなるスカート部材とによって構成し、前記浮上排気吹出口を前記スカート部材の折曲げ部に向って開口したので、上記と同様の効果を得ることができる。
また、上記の電動機室排気穴に開閉弁を設けてその開度を調整するようにしたので、掃除機本体の浮上を一定に保持することができる。
【０１１０】
上記の電動送風機を、モータ、このモータで駆動される吸塵ファン及び冷却ファンで構成し、吸塵ファンの排気を浮上装置に排出するようにしたので、掃除機本体の浮上用の排気の温度が上昇せず、このため、スカート部材の劣化や床面の変形、変色などが生じるおそれがなく、また、床用吸込具を経由して繰返えし排気を循環させても、排気温度が上昇することはない。
【０１１１】
上記のスカート部材の内縁部の内側に設けた浮上排風口の開口面積を、スカート部材の折り曲げ部の面積とほぼ等しいか又はこれにより大きく形成したので、浮上した掃除機本体を移動するにあたり、床面との抵抗が少ないため、小さい力で楽に移動することができる。
【０１１２】
上記のスカート部材の下端部を、少なくとも二重構造としたので、床面との接触効果を向上することができると共に、移動時に床面との摺接による耐摩耗性を高めることができる。
また、上記のスカート部材の内縁部の内側に多数の浮上排風口を設けたので、浮上時に浮上空間内に障害物が侵入するおそれがなく、掃除機本体をスムーズに移動させることができる。
【０１１３】
上記の浮上装置内に排気の圧力を検出する排気圧センサを設け、この排気圧センサの検出結果に基いて  浮上装置に流入する排気の量を制御するようにしたので、流入排気量が自動的に調整されて掃除機本体の浮上を常にほぼ一定の高さ位置に安定して保持することができる。
また、上記の浮上装置からの排気を、電動送風機のモータを冷却した排気と合流させるようにしたので、機外に排出される排気の温度を低下させることができる。
【０１１４】
上記の浮上装置を、掃除機本体に対して着脱自在に構成したので、スカート部材その他の部材の変換が容易である。
また、浮上装置の浮上体を、掃除機本体と一体に構成したので、浮上装置のセットが容易である。
【０１１６】
上記の電気掃除機において、浮上装置の底板の浮上排気吹出口と干渉しない位置にスカート部材の折り曲げ部とのすき間を形成するリブを設けたので、非通電時においてもスカート部材と底板との間に常に一定のすき間を形成することができ、これにより、通電時に浮上空間にスムーズに排気が導入され、短時間でかつ安定して掃除機本体を浮上させることができる。
【図面の簡単な説明】
【図１】  本発明の実施の形態１に係る電気掃除機の掃除機本体の縦断面図である。
【図２】  図１の背面図である。
【図３】  図１の底面図である。
【図４】  図１の浮上装置の分解斜視図である。
【図５】  図４のスカート部材の説明図である。
【図６】  図１の掃除機本体に車輪部材を装着した状態を示す縦断面図である。
【図７】  本発明の実施の形態２に係る電気掃除機の掃除機本体の縦断面図である。
【図８】  本発明の実施の形態３に係る電気掃除機の掃除機本体の要部の説明図である。
【図９】  図８の作用説明図である。
【図１０】  図８の電気的回路図である。
【図１１】  図８の他の例の電気的回路図である。
【図１２】  本発明の実施の形態４に係る電気掃除機の掃除機本体の縦断面図である。
【図１３】  本発明の実施の形態５に係る電気掃除機の掃除機本体の縦断面図である。
【図１４】  本発明の実施の形態６に係る電気掃除機の掃除機本体の縦断面図である。
【図１５】  本発明の実施の形態７に係る電気掃除機の掃除機本体の一部断面図である。
【図１６】  本発明の実施の形態８に係る電気掃除機の掃除機本体の縦断面図である。
【図１７】  本発明の実施の形態９に係る電気掃除機の掃除機本体の縦断面図である。
【図１８】  本発明の実施の形態１０に係る電気掃除機の掃除機本体の縦断面図である。
【図１９】  本発明の実施の形態１１に係る電気掃除機の掃除機本体の縦断面図である。
【図２０】  図１９の要部の平面図及び断面図である。
【図２１】  図１９の要部の他の例の平面図である。
【図２２】  本発明の実施の形態１２に係る電気掃除機の掃除機本体の説明図である。
【図２３】  本発明の実施の形態１３に係る電気掃除機本体の要部の説明図である。
【図２４】  図２３の他の例の説明図である。
【図２５】  図２３のさらに他の例の説明図である。
【図２６】  図２３の別の例の説明図である。
【図２７】  従来の浮上式電気掃除機の掃除機本体の一例の縦断面図である。
【符号の説明】
１  掃除機本体、２  前面板、４  後面板、６  底面板、１１  集塵室、１２集塵体、１４  電動機室、１５  電動送風機、１８  コードリール室、１９  コードリール、２８  開閉弁、３０  本体排気口、３２  制御室、３３  制御部、５０  浮上装置、５１  浮上体、５９  連通口、６１  排気均圧室、６１ａ  排気通気路、６２  浮上排気口、６３  浮上排気吹出口、７０  スカート部材、７１  シート材、７２  浮上排風口、７３  折り返し部、７５  スカート止め具、７８  排気室、８０  浮上空間、８１  車輪部材、８６  車輪、８７  キャスタ、８９  充電用電源の接続部、９０  充電池室、９１  充電池、９２  排気圧センサ、９５  モータ、９６  吸塵ファン、９７  冷却ファン、９８  吸塵ファンケーシング、９９  冷却ファンケーシング、１００  排気口、１０１  ファン１０２  ファンケーシング、１０３  隔壁、１０５  分離排気口、１０７  仕切り板、１０８  通気孔、１１０  網状の部材、１１１  小孔、１１２  リブ。
【図１】
0003890889.tif 000002
【図２】
0003890889.tif 000003
【図３】
0003890889.tif 000004
【図４】
0003890889.tif 000005
【図５】
0003890889.tif 000006
【図６】
0003890889.tif 000007
【図７】
0003890889.tif 000008
【図８】
0003890889.tif 000009
【図９】
0003890889.tif 000010
【図１０】
0003890889.tif 000011
【図１１】
0003890889.tif 000012
【図１２】
0003890889.tif 000013
【図１３】
0003890889.tif 000014
【図１４】
0003890889.tif 000015
【図１５】
0003890889.tif 000016
【図１６】
0003890889.tif 000017
【図１７】
0003890889.tif 000018
【図１８】
0003890889.tif 000019
【図１９】
0003890889.tif 000020
【図２０】
0003890889.tif 000021
【図２１】
0003890889.tif 000022
【図２２】
0003890889.tif 000023
【図２３】
0003890889.tif 000024
【図２４】
0003890889.tif 000025
【図２５】
0003890889.tif 000026
【図２６】
0003890889.tif 000027
【図２７】
0003890889.tif 000028